(57)【要約】【課題】  電波の着信により、下部ケースの中での多色な発光とその多色な発光による上部ケースでの反射とを同時に行い、携帯にも、置物にも便利であり、かつ発光と反射により表示する面白さと華やかさとを有する着信表示装置を提供する。【解決手段】  本発明は、液体、該液体中に分散され、下部ケースに配設された発光部材からの光を反射する微細な反射部材、装飾部材、該液体の注入口、該液体の漏出を防止するために該注入口を封鎖する部材を配設した底部及び支持部材からなる透明な上部ケース、並びに電源、基盤、電波を受信する受信部材、受信電波により発光する発光部材及び受信電波により音を発する発信部材の両部材、又は受信電波により発光する発光部材のみを収納してなる下部ケースを着脱可能又は不能に固定したことを特徴とする着信表示装置に関するものであり、携帯電話のストラップ、置物等として使用される着信表示装置である。【選択図】        図１
2007028559.tif 000002
【特許請求の範囲】
【請求項１】
次の上部ケース１）及び下部ケース２）
１）液体、該液体中に分散され、下部ケースに配設された発光部材からの光を反射する微    細な反射部材、装飾部材、該液体の注入口、該液体の漏出を防止するために該注入口    を封鎖する部材を配設した底部及び支持部材からなる透明な上部ケース
２）電源、基盤、電波を受信する受信部材、受信電波により発光する発光部材及び受信電    波により音を発する発信部材の両部材、又は受信電波により発光する発光部材のみを    収納した下部ケース
を着脱可能又は不能に固定したことを特徴とする着信表示装置。
【請求項２】
発光部材が、色彩の異なる光を発光する複数個からなる請求項１又は２に記載の着信表示装置。
【請求項３】
装飾部材が、用途により各種形状を有し、文字、模様、色彩又はこれらの組合わせからなる装飾を施されたものである請求項１又は請求項３に記載の着信表示装置。
【請求項４】
発信部材が、スピーカーである請求項１乃至請求項３に記載の着信表示装置。
【請求項５】
着信表示装置が、携帯電話のストラップとして使用される請求項１乃至請求項４に記載の着信表示装置。
【請求項６】
着信表示装置が、置物として使用される請求項１乃至請求項４に記載の着信表示装置。
【発明の詳細な説明】
【技術分野】
【０００１】  本発明は、液体、該液体中に分散され、下部ケースに配設された発光部材からの光を反射する微細な反射部材、装飾部材、該液体の注入口、該液体の漏出を防止するために該注入口を封鎖する部材を配設した底部及び支持部材からなる透明な上部ケース、並びに電源、基盤、電波を受信する受信部材、受信電波により発光する発光部材（以下、発光部材と記載する。）及び受信電波により音を発する発信部材（以下、発信部材と記載する。）の両部材、又は発光部材のみを収納した下部ケースを着脱可能又は不能に固定したことを特徴とする着信表示装置に関する発明であり、携帯電話のストラップ、置物等として使用される着信表示装置である。
【背景技術】
【０００２】  従来、広告等のディスプレーとして、広告を施した部材を回転させることが実施されている。例えば、円筒体を回転自在に配設し、この回転体をモーターにより回転させ、円筒体の表面に描かれた、図形、模様等が回転方向に沿って順次表示される方式が知られている（以下、従来技術１と記載する。）。本発明者らは、この従来技術１の不都合を解決するために、太陽電池を利用した装置を開発し、既に特許出願した（特許文献１を参照。以下先願と記載する。）。【０００３】  一方、携帯電話の普及により、携帯電話機に内蔵されている機器からの音、振動等による着信表示以外の方法により着信を表示するものが種々開発されている。例えば、携帯電話用ストラップとして小形の人形を配設し、その人形が着信を語り掛ける装置（特許文献２を参照。）、その人形が着信を告げる動きをする装置（特許文献３を参照。）等が知られている（以下、従来技術２と記載する。）。【０００４】  また、携帯電話機を首から吊り下げるループ状の紐体に発光ダイオード等を配設したストラップ（特許文献４、特許文献５及び特許文献６を参照。）、イヤホン付きのポータブルラジオ、ＣＤプレーヤー、ＭＤプレーヤー、携帯電話機等を首から吊り下げるループ状の紐体を中空状に成形し、その中空内部にイヤホン、携帯機器への接続プラグを取り付けたコードを内蔵したネック・ストラップ（特許文献７を参照。）等が知られている（以下、従来技術３と記載する。）。【０００５】  本発明者らは、前記従来技術を改良した携帯電話用着信装置に関する特許を取得した（特許文献８を参照。以下、本発明者らの特許と記載する。）。この特許は、電力を供給する電池、電波を受信する受信部材、該電池により駆動するモーター、該モーターに連結部材を介して連結された回転部材、発光部材、並びに該電池、該モーター及び前記各部材を収納するケースからなる携帯電話用着信表示装置である。
【特許文献１】  特開２００３−５８０８２号号公報
【特許文献２】  特開２０００−２３６３７０号公報
【特許文献３】  特開２０００−２３６３７１号公報
【特許文献４】  特開２０００−１３４２９４号公報
【特許文献５】  特開２００１−２５１４０７号公報
【特許文献６】  特開２００１−２３１６２４号公報
【特許文献７】  特開２００１−１３７０３５号公報
【特許文献８】  特許第３５００６１３号公報
【発明の開示】
【発明が解決しようとする課題】
【０００６】  前記従来技術１は、電源として商用電流を使用するが、テーブル上に載置する小形のものでは電源の引き込みが不便であり、電池を使用するものが多い。しかし、電池を使用した場合は電池切れにより放置され、回転することがなくなり、広告効果が半減する不都合があった。この不都合を解決した先願は店頭、自動販売機等に据え付けて広告として使用する大型の装置であり、携帯電話、置物等の電波の着信及び携帯は不可能であった。【０００７】  前記従来技術２は、人形が語り掛けるか又は動くか、いずれかの手段を採用している点に特徴があるが、人形という複雑な形態をしているので、衣装のポケット、バッグ等への収納及びそれらからの取出しには不便であるという欠点があった。【０００８】  前記従来技術３は、発光により種々の機能を表示する特徴があるが、単なる光による表示であり、単調であって面白さがない欠点があった。【０００９】  前記本発明らの特許は、前記各従来技術にはない優れた特徴を有していたが、この特許を実用化するに際し、利用者から華やかさに欠けること、着信音がないこと等の提言があった。【００１０】  本発明らは前記利用者の提言に鑑みて、本発明らの特許を改善するために鋭意研究を行った結果、上部ケースを液体の漏れない密封状態となし、その中に液体及び該液体中に分散された反射部材を分散させ、発光部材からの光を反射させることにより、携帯にも、置物にも使用可能であり、かつ色彩異なる光の反射と回転部材の動きにより着信を表示する華やかさ及び着信音を有する着信表示装置を開発した。【００１１】  本発明の目的は、携帯にも、置物にも使用可能であり、かつ電波の受信を光及び音、又は光のみにより表示し、華やかさを有する着信表示装置を提供することである。
【課題を解決するための手段】
【００１２】  前記課題を解決する本発明は、次の上部ケース１）及び下部ケース２）
１）液体、該液体中に分散され、下部ケースに配設された発光部材からの光を反射する微    細な反射部材、装飾部材、該液体の注入口、該液体の漏出を防止するために該注入口    を封鎖する部材を配設した底部及び支持部材からなる透明な上部ケース
２）電源、基盤、電波を受信する受信部材、発光部材及び発信部材の両部材、又は発光部    材のみを収納した下部ケース
を着脱可能又は不能に固定したことを特徴とする着信表示装置であり、発光部材が、色彩の異なる光を発光する複数個からなること、装飾部材が、用途により各種形状を有し、文字、模様、色彩又はこれらの組合わせからなる装飾を施されたものであること、発信部材が、スピーカーであること、着信表示装置が、携帯電話のストラップとして使用されること及び着信表示装置が、置物として使用されることを望ましい態様としている。【００１３】  次に本発明について、一態様である置物（図１）及び携帯電話用ストラップ（図２）として使用する例を示す図面に基づいて詳細に説明する。尚、以下の記載における部材は、すべて市販品である。図１は、本発明の柔軟な材質による上部ケースの一実施態様を示す縦断面図であり、図２は、硬質な材質による上部ケースの一実施態様を示す縦断面図である。図中１は上部ケース、２は装飾部材、３は液体注入口を封鎖する部材（以下、封鎖部材と記載する。）、４は光を反射する微細な反射部材、５は液体、６は支持部材、７は液体注入口、１０は下部ケース、１１、１２は発光部材、１３は受信部材、１４は基盤、１５は電源、１６は電源の交換用の蓋、１７、１８、１９は配線、２０は発信部材を示す。尚、図１及び図２においては、詳細な配線を省略している。【００１４】  本発明の上部ケースについて説明する。上部ケース１は、内部に収納する液体５に浸食されない透明な合成樹脂、強化ガラス等で製造され、形、大きさ等は任意に設定可能であり、かつ柔軟な材質を使用することも可能である。上部ケースと支持部材６とが一体に成形された上部ケース（図２）においては、支持部材には、液体を注入する穴７がもうけられており、注入した液体が下部ケースに漏出しないよう封鎖部材３、例えば栓、螺着式の蓋等、により封鎖されている。この封鎖部材を収納するために図１及び図２に例示するとおり下部ケースの基盤に穴をもうけることも可能である。また、この支持部材は図２に例示するとおり上部ケースと一体に配設することも、図１に例示するとおり上部ケースとは別個に配設することも可能である。【００１５】  上部ケースに収納される液体５は、流動性があり、常温で低粘度であり、かつ外部から装飾部材が見えるよう透明なものであり、水、液状油等を例示することができる。この液体５は、外部から装飾部材が見える程度であれば着色することも可能であり、上部ケースをほぼ満たすように充填されている。【００１６】  上部ケースに収納される液体に分散させる反射部材４は、例えば市販のラメとよばれているポリエチレン・テレフタレート樹脂等であり、一例として直径０．５〜１．５ｍｍに裁断したものである。この部材は、下部ケースから照射される光を反射し、上部ケース全体に輝きをもたらし、華やかさを発揮させる効果がある。【００１７】  上部ケースに収納される装飾部材２は、金属、合成樹脂、ガラス、陶器等種々の材質のものであり、用途により形状、文字、模様、色彩又はこれらの組合わせからなっている。用途とは、広告、趣味等本発明の着信表示装置を使用する者の種々の目的を意味している。例えば、広告の場合は商品の形状、会社の商標等であり、趣味の場合は利用者が自ら制作した陶器、キャラクター等で��っても良い。装飾部材は平板とは限らず、種々の立体的形状に作成することも可能である。また、装飾部材２は、図２に例示するとおり支持部材６に固定することも可能であり、図１に例示するとおり上部ケースの底部に装飾部材を固定することも可能であり、その他液体中に浮遊させることも可能である。図１は、海底を表現するために、装飾部材として魚と海藻をデザインした例であり、図２は、兎をアレンジした例であるが、上部ケースの大きさにより複雑、多彩な装飾とすることも可能である。【００１８】  上部ケースの支持部材６は、図１の例では上部ケースとは別に成形されている。この態様では、上部ケースが柔軟性のある部材で作られているので、下部ケースに係止できるよう硬質、かつ透明な材質の液体注入口を配設している。この場合、支持部材６に液体注入口７及び封鎖部材３を収納する穴をもうけることも可能であり、図１に示すとおり上部ケースを安定に固定するため、液体注入口を栓で密封し、下部ケースの基盤１４の下から螺着式の蓋により上部ケースを固定することも可能である。上部ケースをこのように柔軟な材質で製造することにより、図１に示すとおり液体の重量により柔軟な上部ケースが支持部材に安定に載置され、上部ケースの交換も可能になる。尚、この態様では電源の交換の他に、上部ケースの交換のため螺着した蓋を取除く必要があるので、下部ケースの底部の蓋が図１に示すとおり図２よりも大きくなる。【００１９】  次に本発明の下部ケース１０について説明する。下部ケースの材質は、合成樹脂、強化ガラス等で製造され、上部ケースとは異なり柔軟性がなく、任意の色彩に着色され、不透明な材質で製造することも可能である。下部ケースは、上部ケースから分離できないように接着することも可能であり、希望する上部ケースと交換でるように嵌着することも可能である。また、後記する太陽電池以外の電源を使用した場合は、電源交換のための蓋１６を、図１に示すとおり下部ケースの底部に設置する。尚、電源として太陽電池を使用した場合には、当然のことながら電源交換用蓋１６は不要であり、下部ケースは透明な材質でなければならない。しかしながら、上部ケースを交換可能に設定した場合には、上部ケースを取外すための蓋が必要なこともある。【００２０】  下部ケースに収納される電源１５は、如何なる電池であってもよく、着信表示装置全体の大きさにより適宜使用することができる。例えば、着信表示装置が小さい場合は、腕時計等に使用する小形の乾電池等が最も簡便であり、他の例としては下部ケース１０に太陽電池を配設して電力を得ることも可能である。これらのいずれの例においても、下部ケース１０に内蔵された発信部材２０及び又は発光部材１１、１２を作動させるのに十分な電力を供給できることが必須である。電池の交換を必要とする場合は、図１に示すとおり電池交換用蓋１６を下部ケース１０から着脱可能に配設しなければならない。尚、電源１５から発信部材２０及び又は発光部材１１、１２に電力を供給するための配線を施すことは当然のことである。【００２１】  下部ケースに収納される電波を受信する受信部材１３は、基盤に配設された集積回路そのものでも良く、受信周波数を特定するために、更に通常のアンテナ及び抵抗を付設することも可能である。アンテナを付設する場合、銅線等の針金状の受信部材の例であるが、種々の形状を採用することができる。本発明の着信装置においては、受信を知らせるために音を発する部材、例えばスピーカー、と併設することも可能である。これらの部材は、前記発光部材と伴に配設することも可能であり、単独で配設することも可能であるが、望ましくは発光部材と伴に配設する。【００２２】  下部ケースに収納される発光部材１１、１２は、例えば市販の発光ダイオード等の電流により発光する物体であり、種々の形状、色彩、大きさで、複数個配設することが可能であり、着信の表示の他に装飾としても利用できる。この発光部材は、基盤１４の上面に適宜配設され、着信により点灯する。この発光部材は、着信により点灯したままでも良く、間欠的に点灯しても良く、例えば赤、緑及び黄の３色を循環的に点滅することも可能である。【００２３】  下部ケースに収納される発信部材２０は、例えば市販のスピーカーであり、着信により音を発するものである。この部材は、例えば、置物として使用する場合は携帯電話から離れた場所でも音により着信を感知することができるので便利である。【００２４】  下部ケースの基盤１４は、発光部材１１、１２及び又は発信部材１３を配設する機能、発光部材及び又は発信部材に電力を供給する配線を固定する機能を有している。【００２５】  前記上部ケース及び下部ケースは、着脱可能に固定することも可能であり、装飾部材が広告等の場合は、他の上部ケースと交換できないように着脱不能に固定することもできる。着脱可能に固定する方法を例示すれば、図１及び後記図２に示すとおりであり、その他上部ケース全体を下部ケースに螺着する方法も可能である。また、着脱不能に固定する方法を例示すれば、接着剤での固定等がある。尚、置物として使用する場合、市販のスイッチ［例えば、ティー・メック（Ｔ−Ｍｅｋ）社製。型式ＳＳＯ５１−Ｐ０１２＿Ａ］を併設し、着信がないときでも電源を入れて回転部材を回転させることも可能であり、玩具としても使用できる。【００２６】  以上のとおり構成された本発明の着信表示装置は、受信部材が電磁波を感知した場合、感知信号を発生し、この感知信号を受けて発光部材の点灯及び音の発信により着信を表示する。尚、当然のことながら本発明の着信表示装置は、電話を発信する場合もその電波を受信して発光、音を発する。【００２７】  図２は、本発明の携帯電話用ストラップとして使用する実施態様を示す縦断面図であり、図中の符号は図１と同一である。この態様では、支持部材６が上部ケースと一体に成形されている点及び発信部材２０、発信部材２０への配線１９がない点及び上部ケースが下部ケースに嵌合されている点が前記態様と異なっており、その他の構成は前記図１の実施態様と同一である。【００２８】  携帯電話の着信により音を発した場合、会議中、音楽観賞中等のように周囲に迷惑を掛けることもあるので、下部ケース内に発信部材２０を配設せず、発光部材のみで着信を表示するのが望ましい。従って、このような機会の多い利用者又は会議中、音楽観賞中等に重要な連絡がある利用者にはこの態様の着信表示装置が適している。【００２９���  以上記載したとおり、本発明の着信表示装置は、例えば、携帯電話のストラップとして携帯電話に直接装着することも可能であり、携帯電話とは別に紐等で首に牽引し、着信を表示させることも可能である。後者の場合、装飾部材に広告を施すことにより、いずれの場所においても着信と同時に発光部材が点滅するので、動く広告塔としての役割も果たすことができる。また、鞄、バッグ等の外部に装飾として取り付けることも可能である。【００３０】  また、発信部材を併設した本発明の着信表示装置は、例えば、家庭において水仕事等のため携帯電話を携帯できない場合、着信音で着信を知らせる利点もあり、置物として室内装飾品としての効果も有している。
【発明の効果】
【００３１】  前記のとおり本発明は、液体、該液体中に分散され、下部ケースに配設された発光部材からの光を反射する微細な反射部材、装飾部材、該液体を注入する注入口、該液体の漏出を防止するために該注入口を封鎖する部材を配設した底部及び支持部材からなる透明な上部ケース、並びに電源、基盤、電波を受信する受信部材、受信電波により発光する発光部材及び又は発信部材を収納した下部ケースから構成される着信表示装置に関する発明であり、本発明が奏する効果は次のとおりである。【００３２】１）携帯にも、収納にも便利であり、照射光と反射光とにより華やかに着信を表示する面    白さを有する着信表示装置である。
２）携帯電話に直接装着せずに、光により着信表示が可能であり、広告、アクセサリー等    としての利用も可能である。
３）携帯電話に直接装着せずに、置物として音による着信の表示できるので、室内装飾品    としても使用可能である。
４）上部ケースを交換できるので、利用者の好み、使用する場所等に応じて随時交換でき    る利点がある。
【発明を実施するための最良の形態】
【００３３】  次に実施例を示して本発明を更に詳細に説明するが、本発明は以下の実施例に限定されるものではない。
【実施例１】
【００３４】  図１に縦断面を示す置物として使用する着信表示装置を製造した。この着信表示装置は、下部ケースに発信部材を配設した例である。上部ケース１の上端から下部ケース１０の下端までは約５ｃｍ、直径約４ｃｍであり、上部ケース１は透明なポリエチレン樹脂を常法により成形し、支持部材６の中央に液体注入口７をもうけている。【００３５】  また、上部ケース１の最上部には携帯電話用ストラップとして使用するため、紐等を係止する部材を設置する。装飾部材２は、海底を表現するために魚と海藻をデザインし、上部ケースの中央に固定している。また、下部ケース１０からの光を反射する反射部材４として、市販のラメ（ポリエチレン・テレフタレート樹脂）を使用し、直径０．５〜１ｍｍに裁断したものである。【００３６】  この上部ケースに滅菌水を液体注入口７から注入し、封鎖部材３として栓により密封し、滅菌水が下部ケースに漏出するのを防止し、上部ケースを製造した。【００３７】  下部ケース１０は、オレンジ色の硬質なアクリロニトリル・ブタジエン・スチレン（ＡＢＳ）樹脂を常法により成形し、基盤１４の下部ケース１０への接着部より若干上部で上部ケース１と嵌合するよう常法により成形し、電源交換用の蓋を脱着可能に成形されている。基盤１４はプラスチック製であり、電源１５として電池、発光部材１１、１２、発光部材への配線１７、１８及び発信部材２０としてスピーカーを固定し、下部ケース１０に接着されている。この下部ケース１０は上部ケース１から取り外しが可能であり、所望の上部ケースと交換が可能である。【００３８】  電源１５は電池［ゴールデン・パワー（Ｇｏｌｄｅｎ  Ｐｏｗｅｒ）社製。ＬＲ４４−３５７Ａ］、発光部材１１、１２は発光ダイオード［ハーバテク（Ｈａｒｖａｔｅｋ）社製。ＨＴ１９０ｒｅｄ、ＨＴ１９０ｇｒｅｅｎ、ＨＴ１９０ｙｅｌｌｏｗ］の赤、緑、黄の３色を配設し（図１は断面図なので、２個の発光部材のみ表示されている）、受信部材１３は市販の銅線である。【００３９】  図２はこの実施例の配線模式図であり、図中３０はアンテナ、３１はスピーカー（仁泰電子有限公司製。ＲＴ１０Ｂ５−２５Ｂ６４−Ｆ）、３２は発光ダイオード、ＶＣＣはスピーカー、ＬＥＤは発光ダイオード、ＡＵＤはスピーカーを示している。
【実施例２】
【００４０】  図２に縦断面を示す携帯電話のストラップとして使用する着信表示装置を製造した。この着信表示装置は、下部ケースに発信部材を配設しない例である。上部ケース１の上端から下部ケース１０の下端までは約５．５ｃｍ、直径約２．５ｃｍであり、上部ケース１は透明なポリエチレン樹脂を常法により成形し、支持部材６の中央に液体注入口７をもうけている。【００４１】  また、上部ケース１の最上部には携帯電話用ストラップとして使用するため、紐等を係止する部材を設置する。装飾部材２は、海底を表現するために魚と海藻をデザインし、上部ケースの中央に固定している。また、下部ケース１０からの光を反射する反射部材４として、市販のラメ（ポリエチレン・テレフタレート樹脂）を使用し、直径０．５〜１ｍｍに裁断したものである。【００４２】  この上部ケースに滅菌水を液体注入口７から注入し、封鎖部材３として栓により密封し、滅菌水が下部ケースに漏出するのを防止し、上部ケースを製造した。【００４３】  下部ケース１０は、オレンジ色の硬質なアクリロニトリル・ブタジエン・スチレン（ＡＢＳ）樹脂を常法により成形し、基盤１４の下部ケース１０への接着部より若干上部で上部ケース１と嵌合するよう常法により成形し、電池交換用の蓋を脱着可能に成形されている。基盤１４はプラスチック製であり、発光部材及び発光部材への配線を固定し、下部ケース１０に接着されている。この下部ケース１０は上部ケース１から取り外しが可能であり、所望の上部ケースと交換が可能である。【００４４】  電源１５はリチウム電池［ゴールデン・パワー（Ｇｏｌｄｅｎ  Ｐｏｗｅｒ）社製。ＬＲ４４−３５７Ａ］、発光部材１１、１２は発光ダイオード［ハーバテック（Ｈａｒｖａｔｅｋ）社製。型式ＨＴ１９０ｒｅｄ、ＨＴ１９０ｇｒｅｅｎ、ＨＴ１９０ｙｅｌｌｏｗ］の赤、緑、黄の３色を配設し（図２は断面図なので、２個の発光部材のみ表示されている）、受信部材１３は市販の銅線である。
【図面の簡単な説明】
【００４５】
【図１】  図１は、本発明の一実施態様を示す縦断面図である。
【図２】  図２は、本発明の一実施態様の配線模式図である。
【図３】  図３は、本発明の他の実施態様を示す縦断面図である。
【符号の説明】
【００４６】    １  上部ケース
２  装飾部材
３  封鎖部材
４  反射部材
５  液体
６  支持部材
７  液体注入口
１０  下部ケース
１１、１２  発光部材
１３  受信部材
１４  基盤
１５  電源
１６  電源交換用蓋
１７、１８、１９  配線
２０  発信部材
２１  螺着式の蓋
３０  アンテナ
３１  スピーカー
３２  発光ダイオード
【図１】
2007028559.tif 000003
【図２】
2007028559.tif 000004
【図３】
2007028559.tif 000005